(57)【要約】【課題】  光量制限を行うことなく利用者の不快感を軽減できる画像読取装置を提供する。【解決手段】  圧板８が開かれているときに、ランプ４に対向して設けられている反射板７からの反射光がコンタクトガラス２側に漏れないように、クラッチ１０をＯＮして反射板７の角度を変え、圧板８が閉じられたときに、クラッチ１０をＯＦＦしてバネ１１の反発力により、反射板７をランプ４に対向させる。【選択図】      図１
2007006278.tif 000002
【特許請求の範囲】
【請求項１】
原稿台に載置された原稿を照射する照射手段と、
前記照射手段に対向して設けられ、前記照射手段からの照射光を前記原稿に反射させるための反射板と、
前記反射板からの反射光が前記原稿台側に漏れないように、前記反射板の角度を変える角度可変手段を備える、画像読取装置。
【請求項２】
さらに、前記原稿を押えるための押え板と、
前記押え板の開閉を検知する開閉検知手段を含み、
前記角度可変手段は、前記開閉検知手段によって前記押え板が開かれたことが検知されたことに応じて、前記反射板の角度を変える、請求項１に記載の画像読取装置。
【請求項３】
前記反射板を常時前記照射手段に対面させて照射光を前記原稿に反射させる付勢手段を含む、請求項１または２に記載の画像読取装置。
【発明の詳細な説明】
【技術分野】
【０００１】
この発明は画像読取装置に関し、特に、原稿サイズを検出して原稿の画像読取を行う画像読取装置に関する。
【背景技術】
【０００２】
複写機や複合機などには、原稿の画像を読取るために図４に示すような画像読取装置が内蔵されている。図４（Ａ）に示す筐体１にはコンタクトガラス２が嵌め込まれており、このコンタクトガラス２上に原稿３が載置され、圧板８が閉じられて原稿３が浮き上がらないようにされる。筐体１内には、ランプ４と、ミラー５と、ＣＣＤなどの撮像素子６と、反射板７とが配置されている。ランプ４はコンタクトガラス２を介して原稿３に光を照射する。
【０００３】
原稿３の反射光はミラー５で反射され、撮像素子６に導かれる。ランプ４とミラー５は、図示しない駆動部により副走査方向(図４において左から右方向）に駆動されて原稿３の全体の画像の反射光が撮像素子６に導かれる。撮像素子６は原稿３からの反射光を光電変換し、副走査方向に直交する主走査方向ごとの画像信号を出力する。画像信号は、図示しない画像処理回路で画像処理が行われ、所望の出力媒体に出力される。反射板７はランプ５から照射される光が拡散されることなく、原稿３に光を有効に導くために設けられている。
【０００４】
原稿３の画像を読取る際に、コンタクトガラス２上に載置された原稿３のサイズを判定する必要がある。主走査方向および副走査方向の原稿サイズの判定は、撮像素子６で読取った画像信号を用いて行われるが、副走査方向の原稿サイズの判定は、副走査方向に配置された複数のサイズセンサによって行われることもある。
【０００５】
圧板８を開いて原稿３をコンタクトガラス２上に載置して、図示しないスタートキーを操作すると、主走査方向および副走査方向に関するサイズを判定するためにランプ４が点灯される。その結果、図４(Ｂ)に示すように、予期せぬタイミングで利用者の目にランプ４の照射光が入射されてしまうため、眩しく不快感を与えるという問題があった。
【０００６】
近年の高速化，高画質化を狙う画像読取装置では、光量が多くなり、また読取りのカラー化により光源の色が白色になって、いっそう目に付きやすく、不快感が増す要因になっていた。そこで、特開２００４−３２０７５号公報（特許文献１）には、光源の照射時間を必要最小限に減光して眩しさを軽減した画像読取装置について記載されている。
【特許文献１】特開２００４−３２０７５号公報（段落番号００４１，００４２、図９）
【発明の開示】
【発明が解決しようとする課題】
【０００７】
特許文献１に記載されている画像読取装置では、減光するための回路が必要になり、回路を設けるためにコストの上昇を招くことになる。
【０００８】
そこで、この発明の目的は、光量制限を行うことなく利用者の不快感を軽減できる画像読取装置を提供することである。
【課題を解決するための手段】
【０００９】
この発明は、原稿台に載置された原稿を照射する照射手段と、照射手段に対向して設けられ、照射手段からの照射光を原稿に反射させるための反射板と、反射板からの反射光が原稿台側に漏れないように、反射板の角度を変える角度可変手段を備える。
【００１０】
好ましくは、原稿を押えるための押え板と、押え板の開閉を検知する開閉検知手段を含み、角度可変手段は、開閉検知手段によって押え板が開かれたことが検知されたことに応じて、反射板の角度を変える。
【００１１】
より具体的には、反射板を常時照射手段に対向させて照射光を原稿に反射させる付勢手段を含む。
【発明の効果】
【００１２】
この発明によれば、原稿台に載置された原稿を照射する照射手段に対向して設けられ、照射手段からの照射光を原稿に反射させるための反射板からの反射光が原稿台側に漏れないように、反射板の角度を変えるようにしたので、光量制限を行うことなく利用者の不快感を軽減できる。
【００１３】
しかも、反射板の角度を変えるだけでよいため、従来の構成を大幅に変える必要がなく、追加部品も最小限に抑えることができ、コストが上昇することもない。
【発明を実施するための最良の形態】
【００１４】
図１はこの発明の一実施形態の画像読取装置を示す図であり、（Ａ）は原稿読取機能の概略の構成を示し、（Ｂ）は原稿のサイズを検知するときの動きを示す。
【００１５】
図１（Ａ）に示すように、筐体１には、原稿台としてのコンタクトガラス２が嵌め込まれており、コンタクトガラス２上に原稿３を載置したときに、原稿３が浮き上がらないように原稿押え板としての圧板８が閉じられる。圧板８の開閉を検知するために、開閉検知手段としての圧板センサ９が設けられている。筐体１内には、前述の図４と同様にして照射手段としてのランプ４と、ミラー５と、撮像素子６と、反射板７とが設けられているとともに、反射板７を回動させて角度を変えるための角度可変手段としてのクラッチ１０と、付勢手段としてのバネ１１とが設けられている。
【００１６】
ランプ４は例えばキセノン管が用いられる。キセノン管は、光の照射方向が一方方向（反射板７方向）に決められており、反対側への照射は比較的少ない。従って、利用者の目に届く光は、ランプ４からの直接光よりはランプ４に対向して設けられている反射板７からの反射光が大半を占めている。
【００１７】
そこで、この発明の一実施形態では、主走査方向および副走査方向の原稿サイズの検知時に反射板７の反射光が利用者の目に入らないように、角度可変手段としてのクラッチ１０とバネ１１とを含む機構により、図１（Ｂ）に示すように、反射板７を回動させて角度を可変する。反射板７は回転軸１２を中心に回動可能に支持されており、反射板４の一端がバネ１１を介してクラッチ１０に結合されている。バネ１１は、常時は反射板７をランプ４に対向させている。
【００１８】
なお、ランプ４と、ミラー５と、反射ミラー７と、クラッチ１０と、バネ１１は、図示しないがスキャナ枠に組み込まれており、副走査方向に移動可能にされている。
【００１９】
図２はこの発明の一実施形態における画像読取装置の全体を制御する制御ブロック図である。制御部１４には、ランプ４と、撮像素子６と、圧板センサ９と、クラッチ１０と、駆動部２０とが接続されている。駆動部２０は前述のスキャナ枠を副走査方向に移動させるために設けられている。
【００２０】
次に、この発明の一実施形態における画像読取装置の動作について説明する。通常状態では、圧板８が閉じられており、反射板７はバネ１１の反発力によりランプ４に対向している。そして、圧板８が開かれると、圧板センサ９は圧板８が開かれていることを検出するので、制御部１４はクラッチ１０をＯＮする。クラッチ１０がＯＮして駆動されると、図１（Ｂ）に示すように、反射板７の一端がバネ１１の反発力に抗してクラッチ１０側に引っ張られるので、反射板７が回転軸１２を中心に回動する。
【００２１】
利用者は、図１（Ａ）に示すように、原稿３をコンタクトグラス２上に載置し、圧板８を閉じた後スタートキーを押す。制御部１４は圧板８を閉じる操作に応じて、主走査方向および副走査方向の原稿サイズを検知するために、圧板８が閉じられる前にランプ４を点灯させる。このとき、反射板７は図１（Ｂ）に示すように角度が可変された状態を維持している。このため、ランプ４の反射光がコンタクトガラス２を介して利用者の目に入ることがなく、利用者は眩しく感じることがないので、不快感を受けることがない。このとき、制御部１４は撮像素子６の出力に基づいて、原稿３の主走査方向のサイズを検出する。
【００２２】
一方、圧板８が閉じられたことにより、圧板センサ９がそれを検出する、制御部１４は圧板センサ９の検出出力に基づいてランプを点灯させながらスキャナ枠をホームポジションまで移動させて原稿サイズ検知を行う。制御部１４は撮像素子６の出力に基づいて、原稿３の副走査方向のサイズを検出する。スキャナ枠がホームポジションまで移動したことは図示しないホームポジションセンサで検出される。制御部１４はホームポジションを検出した後にクラッチ１０をＯＦＦする。クラッチ１０がＯＦＦすることにより、反射板７はバネ１１の反発力によりその一端が押されるので、回転軸１２を中心にして回動し、図１（Ａ）に示すようにランプ４の反射位置に設定される。これによりランプ４の反射光が原稿３に照射されるので、駆動部２０がスキャナ枠を副走査方向に駆動することにより、撮像素子６で原稿３の反射光に基づいて画像信号が出力される。
【００２３】
上述のごとくこの実施形態によれば、圧板８が閉じられるときにランプ４に対向して設けられている反射板７からの反射光が利用者の目に入射されないように、反射板７の角度を変えるようにしたので、光量制限を行うことなく利用者の不快感を軽減できる。しかも、反射板７の角度を変えるだけでよいため、従来の構成を大幅に変える必要がなく、追加部品も最小限に抑えることができ、コストが上昇することもない。
【００２４】
なお、反射板７は軽量であるため、クラッチ１０として小型のものを選ぶことができる。従って、クラッチ１０を副走査方向に移動するスキャナ枠に搭載することが可能になる。また、この発明の一実施形態では、反射板７の角度を変えるだけであるため、クラッチ１０に代えて小型モータや歯車の組合せを用いてもよい。
【００２５】
上述の実施形態では、スキャナ枠を副走査方向に移動させて原稿３の副走査方向の原稿サイズの検出を検出するようにしたが、図３に示すように、副走査方向の原稿サイズを検知するセンサを配置図してもよい。
【００２６】
図３に示したセンサ配置図は図１（Ａ）のＩＩＩ−ＩＩＩ方向から見た平面図である。図３に示すように、コンタクトガラス２の下部にはサイズセンサ１３が配置されており、コンタクトガラス２の近傍に圧板センサ９が配置されている。サイズセンサ１３は、副走査方向に配置された複数のセンサ１３ａ〜１３ｄを含む。これらのセンサ１３ａ〜１３ｄの検出信号に基づいて、原稿がＡ４縦置き，Ａ４横置き，Ｂ４横置き，Ａ３横置きのいずれかを検知する。例えば、センサ１３ａのみが検出信号を出力していれば、Ａ４縦置きであると判別でき、センサ１３ａと１３ｂのみが検出信号を出力していれば、Ａ４横置きであると判別できる。
【００２７】
なお、図３においては、圧板８を図示していないが、圧板センサ９側を支点として、ガラスコンタクト２を覆うように開閉可能に設けられる。
【００２８】
また、上述の実施形態では、ガラスコンタクト２上覆うように圧板８を開閉可能に設けるようにしたが、これに限ることなく自動原稿給送装置を開閉可能に設けてもよい。
【００２９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３０】
【図１】この発明の一実施形態の画像読取装置を示す図である。
【図２】副走査方向の原稿サイズを検知するセンサの配置図である。
【図３】この発明の一実施形態における画像読取装置のブロック図である。
【図４】従来の画像読取装置の概略の構成を示す図である。
【符号の説明】
【００３１】
１  筐体、２  コンタクトガラス、３  原稿、４  ランプ、５  ミラー、６  撮像素子、７  反射板、８  圧板、９  圧板センサ、１０  クラッチ、  １１  バネ、１２  回転軸、１３  サイズセンサ、１３ａ，１３Ｂ，１３ｃ，１３ｄ  センサ、１４  制御部、２０  駆動部。
【図１】
2007006278.tif 000003
【図２】
2007006278.tif 000004
【図３】
2007006278.tif 000005
【図４】
2007006278.tif 000006